(57)【要約】  診察室に設けられた医療用端末で撮影オーダ情報を入力して放射線画像読取装置に送信し、放射線画像読取装置において、読み取った画像データを撮影オーダ情報の受信順に対応付けて医療用端末に送信する小規模診断システムにおいて、緊急時等に撮影オーダ情報の入力を待たずに迅速に撮影を開始できるようにすることを目的とする。そのためには、以下のように制御する放射線画像読取装置とする。撮影オーダ情報が受信されており、割り込みモードが設定されていない場合、読み取った画像データのヘッダ部に、撮影オーダ情報記憶部に先頭の順番で格納されている撮影オーダ情報を書き込んで医療用端末へ送信する。一方で、撮影オーダ情報記憶部に受信済みの撮影オーダ情報が格納されていない場合、又は割り込みモードが設定されている場合、読み取った画像データのヘッダ部に、撮影オーダ情報なしで撮影されたことを示す情報を書き込んで自己のＨＤＤに保存する。
2007141985.tif 000002
【特許請求の範囲】
【請求項１】
診察室に設けられた医療用端末に接続され、
放射線撮影において被写体を透過した放射線画像情報が記録された記録媒体から前記放射線画像情報を読み取って画像データを生成する読取手段と、
前記医療用端末との間で撮影対象の患者情報及び撮影部位情報を含む撮影オーダ情報その他のデータを送受信する送受信手段と、
前記送受信手段による前記医療用端末からの撮影オーダ情報の受信順序に従って、前記読取手段により生成された画像データを前記受信された撮影オーダ情報と対応付けて前記医療用端末に送信する制御手段と、
を備えた放射線画像読取装置において、
画像データ及び撮影オーダ情報を格納するための保存手段を備え、
前記制御手段は、前記医療用端末から受信した撮影オーダ情報が前記保存手段に格納されているとき、前記読取手段により生成された画像データを前記撮影オーダ情報と対応付けて前記医療用端末に送信し、前記医療用端末から受信した撮影オーダ情報が前記保存手段に格納されていないとき、前記読取手段により生成された画像データを前記保存手段に保存することを特徴とする放射線画像読取装置。
【請求項２】
診察室に設けられた医療用端末に接続され、
放射線撮影において被写体を透過した放射線画像情報を記録した記録媒体から前記放射線画像情報を読み取って画像データを生成する読取手段と、
前記医療用端末との間で撮影対象の患者情報及び撮影部位情報を含む撮影オーダ情報その他のデータを送受信する送受信手段と、
前記送受信手段による前記医療用端末からの撮影オーダ情報の受信順序に従って、前記読取手段により生成された画像データを前記受信された撮影オーダ情報と対応付けて前記医療用端末に送信する制御手段と、
を備えた放射線画像読取装置において、
画像データを格納するための保存手段と、
前記制御手段の動作モードの切替信号を出力する切替手段とを有し、
前記制御手段は、前記切替手段から切替信号が出力された際に、前記読取手段により生成された画像データを撮影オーダ情報と対応付けずに前記保存手段に保存することを特徴とする放射線画像読取装置。
【請求項３】
前記制御手段は、前記保存手段に画像データを保存する際に、撮影オーダ情報無しに読み取られたことを示す情報を対応付けて保存することを特徴とする請求の範囲第１項又は第２項に記載の放射線画像読取装置。
【発明の詳細な説明】
【技術分野】
【０００１】
本発明は、主として小規模な医療施設で用いられる小規模診断システムで使用される放射線画像読取装置に関するものである。
【背景技術】
【０００２】
従来から、来院した患者を、ＣＲ（Ｃｏｍｐｕｔｅｄ  Ｒａｄｉｏｇｒａｐｈｙ）装置やＦＰＤ（Ｆｌａｔ  ＰａｎｅｌＤｅｔｅｃｔｏｒ）装置等の画像生成装置を用いて、技師が検査対象である患者を撮影し、得られた画像が診断に提供可能となるよう階調処理等の画像処理を加え、画像処理済の画像を出力し、医師による読影に提供する診断システムが知られている。【０００３】
このような診断システムは、来院した患者を受け付け、撮影オーダを発行する担当（受付）、実際に患者を撮影室で撮影し画像データを生成する担当（技師）、階調性等の得られた画像の診断提供の可否を判断し、場合によってはコントラストや濃度を修正する担当（一般の技師の中かから任命された技師等）、画像に基づき疾病の有無を判断（診断）する読影担当（医師）等、複数の担当者が役割分担を行い、診断が進められる。【０００４】
そして、従来の診断システムの適用が想定されていたような大規模な医療施設（以下、大規模施設という。）では、画像生成装置もこれを操作する技師等も複数存在し、画像生成装置を操作するコンソールや医師等が画像データを確認するビューワ等もそれぞれ役割を分担して別個に設けられている。このため、患者と画像データとの取り違え等が生じるおそれがある。そこで、これを防止するために、各装置をネットワークを介して連携させ、各装置においてＩＤを発行し、各装置で行われた作業工程の結果をそれぞれ関連付けるシステムが提案されている（例えば、特許文献１参照）。【０００５】
このようなシステムにおいては、上記の各役割を担当する場所は、受付は１Ｆ、放射線科は地下等、広い病院内で離れた場所にあることが多く、かつ、放射線科内で、複数の患者を、複数の技師が、複数の撮影装置を使用して、同時に撮影を実行する場面が定常的であり、複数の患者が常時各工程に滞留しており、生成された画像と個々の患者との対応付けを間違うことが無きよう、各工程での作業毎にＩＤを付し、ＨＩＳ（Ｈｏｓｐｉｔａｌ  Ｉｎｆｏｒｍａｔｉｏｎ  Ｓｙｓｔｅｍ；病院情報システム）やＲＩＳ（Ｒａｄｉｏｌｏｇｙ  Ｉｎｆｏｒｍａｔｉｏｎ  Ｓｙｓｔｅｍ；放射線情報科情報システム）のネットワークを介して対応付けることが行われる（例えば、特許文献２及び特許文献３参照）。【０００６】
例えば、１Ｆ受付窓口では、患者の主訴に基づき検査内容（撮影内容）を決定し、患者名前とともに登録する。これにより、図１０（ａ）のような患者リストが作成される。上記の患者リストは随時追加され、１Ｆの受付用のワークステーション（以下「ＷＳ」という。）に表示される。同時に、上記患者リストは、ＲＩＳ／ＨＩＳ等のネットワークを介して、Ｂ１の放射線科にあるコンソール（ここで「コンソール」とは、放射線科内にあり、撮影条件の設定やＲＩＳ／ＨＩＳの撮影オーダ情報や患者を撮影した画像を表示するワークステーションをいう）に表示される。なお、コンソールの台数は、分散処理効率を上げる為、複数設けられていることが常であるが、これらもネットワーク介して相互に接続されていおり、任意のコンソールで、所定の検査ＩＤが選択された時、複数の技師間での重複撮影を予防する為、当該患者リストに処理中である旨を告知する方法（フラッシング表示や色を変える、又は、同一検査を指定するとビープ警告する等）が用いられる。【０００７】
放射線科の技師は、自分の身近にあるコンソールを用い、表示された患者リスト上からこれから撮影する検査ＩＤを選択し、使用するＣＲプレート（カセッテ）のＩＤ（カセッテＩＤ）を登録する。これにより、図１０（ｂ）に示すように、患者リストの「カセッテＩＤ」の欄に登録したカセッテＩＤが表示される。技師は例えば３枚のカセッテを持って、撮影室へ移動し、患者の撮影を行う。その後、撮影済みカセッテを読取装置で読み取る。読取装置は、挿入されたカセッテに貼付されたカセッテＩＤを読み取り、画像データに付帯させて当該カセッテＩＤを送信し、最終的に検査ＩＤ（患者ＩＤ）と生成される画像データの対応が付けられる。生成された画像データは、技師が前記検査ＩＤを選択したコンソールに送信され、コンソールに表示される。この段階で、撮影ポジショニングの確認を行い、ポジショニング不良の場合は再撮影を行い、濃度やコントラストの修正や周波数強調処理を適用するか否か等も判断する。その後、当該画像を読影待ち（診断待ち）サーバに保存する。読影医は、読影室のワークステーション（ビューワ機能用に高精細モニタを備えるものである場合が多い）に、前記読影待ちサーバに保存された画像から所定の患者に係る画像を抽出表示させ、読影（診断）を行う。【０００８】
そして、このような大規模施設で利用されるシステムでは、例えば患者に対して行った撮影が単純撮影なのか造影剤撮影なのか等、保険点数計算に影響する情報についても、患者の検査ＩＤやカセッテＩＤ等を登録して患者と撮影画像との対応付けを行うことにより、すべての情報が連携し、ＲＩＳ／ＨＩＳサーバ等に集約されて管理し得るようになっている。【０００９】
しかしながら、本願発明者等の調査によれば、開業医やクリニックのような比較的小規模な医療施設（以下、小規模施設という）の場合は、画像生成装置の設置台数も少なく、助手が患者のポジショニングを行い、助手からポジショニング完了の連絡を受け医師がＸ線曝射スイッチを制御する場合や、患者のポジショニングを含め全ての操作を医師自身が行う場合も多い。【００１０】
また、例えば大規模施設の場合には、撮影を行ってから医師の診断を受けるまでの間に患者は施設内の複数の階を行き来しなければならないことも想定されるが、小規模施設の場合には、施設も狭いため撮影を行ってから医師の診断を受けるまでの間の患者の移動距離も短い。【００１１】
このような状況のもとでは撮影画像を別の患者のものと取り違えることは考えづらく、大規模施設と同様なシステムを用いたのでは、患者氏名の入力にはじまる撮影オーダ情報の生成作業等が必要となり、かえって手続きが煩雑となり、診療効率が悪い。【００１２】
また、予め患者の患者情報や検査情報等の撮影オーダ情報を生成し、当該撮影オーダ情報を撮影した撮影画像と対応付けるためには、ＲＩＳ／ＨＩＳのような基幹システムに対応したネットワークで各装置を接続するようなシステムが必要となる。しかし、このようなシステムを構築するためにはコストもかかり、小規模施設にとって負担となるとの問題もある。また、前述する大規模施設での構成コンセプトのまま各装置の数を少なくしても、小規模施設に最適とは言えない。【００１３】
そこで、特許文献４には、開業医やクリニック等の小規模施設向けのシステムとして、診察室に配置された情報入出力装置と撮影室の放射線画像情報読取装置とがネットワークを介して接続され、情報入出力装置から医師により入力された患者のＩＤ情報や撮影情報を放射線画像読取装置に送信し、放射線画像読取装置の表示部に撮影対象となる患者のＩＤ情報や撮影情報を表示するシステムが記載されている。【００１４】
また、特許文献５には、患者情報、検査情報等の撮影に関する情報を順次入力し、複数の撮影に関する情報を入力された順序で格納し、格納された順序で撮影に関する情報を放射線読取装置に送信する医療端末と、医療端末から受信した順序に従って、撮影が行われた記録媒体がセットされた際に、記録媒体に記録されている放射線画像を読み取って画像データを生成し、生成した画像データと該撮影に関する情報とを対応付けて医療用端末に送信する放射線画像読取装置を具備するシステムが記載されている。更に、特許文献５には、放射線画像読取装置において、読み取った画像データと撮影に関する情報とを対応付けする機能をもたず、放射線画像読取装置は、読み取った画像データを医療端末に送信し、医療端末において、放射線画像読取装置から受信された画像データをタイムデータと対応付けてメモリに記憶しておき、オペレータが、画像データが受信された時期を確認して、画像データと患者情報、検査情報等とを対応付ける放射線画像撮影システムが記載されている。
【特許文献１】米国特許第５，３３４，８５１号明細書
【特許文献２】特開２００２−１５９４７６号公報
【特許文献３】特開２００２−３１１５２４号公報
【特許文献４】特開２００５−２６５９４３号公報
【特許文献５】特開２００５−３４２１９５号公報
【発明の開示】
【発明が解決しようとする課題】
【００１５】
しかしながら、特許文献４に記載されたシステムにおいては、緊急の患者の場合であっても、また、医師の問診を受けなくとも前回と同じ撮影をすれば良いような再撮影患者の場合であっても、医師による撮影情報の入力を待たなければ撮影を行うことができない。特に、医師が他の患者の診察中である場合には、看護師や撮影技師は個人情報保護の観点から入室できなかったり、撮影情報の発行が依頼しづらかったりするため、患者を待たせることになり、好ましくない。【００１６】
また、特許文献５においては、前者のシステムにおける放射線画像読取装置と、後者のシステム構成における放射線画像読取装置との双方の装置を備え、緊急時には後者の放射線画像読取装置を使用するシステムとすることが考えられるが、緊急用とそれ以外用で別々に放射線画像読取装置を備えなければならず、１台の放射線画像読取装置で上記課題を解決することはできない。【００１７】
本発明は、診察室に設けられた医療用端末で撮影オーダ情報を入力して放射線画像読取装置に送信し、放射線画像読取装置において、読み取った画像データを撮影オーダ情報の受信順に対応付けて医療用端末に送信する小規模診断システムにおいて、緊急時等に撮影オーダ情報の入力を待たずに迅速に撮影及び読み取りを開始できるようにすることである。
【課題を解決するための手段】
【００１８】
上記課題を解決するため、請求の範囲第１項に記載の発明は、
診察室に設けられた医療用端末に接続され、
放射線撮影において被写体を透過した放射線画像情報が記録された記録媒体から前記放射線画像情報を読み取って画像データを生成する読取手段と、
前記医療用端末から撮影対象の患者情報及び撮影部位情報を含む撮影オーダ情報を受信する送受信手段と、
前記送受信手段による前記医療用端末からの撮影オーダ情報の受信順序に従って、前記読取手段により生成された画像データを前記受信された撮影オーダ情報と対応付けて前記医療用端末に送信する制御手段と、
を備えた放射線画像読取装置において、
画像データ及び撮影オーダ情報を格納するための保存手段を備え、
前記制御手段は、前記医療用端末から受信した撮影オーダ情報が前記保存手段に格納されているとき、前記読取手段により生成された画像データを前記撮影オーダ情報と対応付けて前記医療用端末に送信し、前記医療用端末から受信した撮影オーダ情報が前記保存手段に格納されていないとき、前記読取手段により生成された画像データを前記保存手段に保存することを特徴としている。【００１９】
請求の範囲第２項に記載の発明は、
診察室に設けられた医療用端末に接続され、
放射線撮影において被写体を透過した放射線画像情報を記録した記録媒体から前記放射線画像情報を読み取って画像データを生成する読取手段と、
前記医療用端末から撮影対象の患者情報及び撮影部位情報を含む撮影オーダ情報を受信する送受信手段と、
前記送受信手段による前記医療用端末からの撮影オーダ情報の受信順序に従って、前記読取手段により生成された画像データを前記受信された撮影オーダ情報と対応付けて前記医療用端末に送信する制御手段と、
を備えた放射線画像読取装置において、
画像データを格納するための保存手段と、
前記制御手段の動作モードの切替信号を出力する切替手段とを有し、
前記制御手段は、前記切替手段から切替信号が出力された際に、前記読取手段により生成された画像データを撮影オーダ情報と対応付けずに前記保存手段に保存することを特徴としている。【００２０】
請求の範囲第３項に記載の発明は、請求の範囲第１項又は第２項に記載の発明において、
前記制御手段は、前記保存手段に画像データを保存する際に、撮影オーダ情報無しに読み取られたことを示す情報を対応付けて保存することを特徴としている。
【発明の効果】
【００２１】
請求の範囲第１項に記載の発明によれば、医療用端末から受信した撮影オーダ情報が保存手段に格納されていないときには、放射線撮影された記録媒体から読み取った画像データを保存手段に保存しておくことができるので、緊急時等に医療用端末からの撮影オーダ情報の入力を待たずに迅速に撮影及び読み取りを開始することが可能となる。【００２２】
請求の範囲第２項に記載の発明によれば、医療用端末から撮影オーダ情報が受信されている場合であっても、放射線撮影された記録媒体から読み取った画像データを、受信されている撮影オーダ情報と対応付けて医療用端末に送信する動作から、撮影オーダ情報と対応付けずに保存手段に保存しておく動作に切り替えることができるので、緊急時等に医療用端末からの撮影オーダ情報の入力や撮影オーダ情報が発行された順番を待たずに迅速に撮影及び読み取りを開始することが可能となる。【００２３】
請求の範囲第３項に記載の発明によれば、撮影オーダ情報無しで読み取られた画像データを識別することが可能となる。
【図面の簡単な説明】
【００２４】
【図１】本発明に係る小規模診断システム１の全体構成例を示す図である。
【図２】図１に示す小規模診断システム１を適用した場合の各装置の医療施設における配置例を示す図である。
【図３】図１に示す小規模診断システム１に適用される読取装置２０２の機能的構成を示す要部ブロック図である。
【図４】図１に示す小規模診断システム１に適用される制御装置３の機能的構成を示す要部ブロック図である。
【図５】図１に示す小規模診断システム１において、一の患者に対し実行される通常の処理の流れを示すフローチャートである。
【図６】図４の表示部３５に表示される撮影オーダ情報入力画面３５１の一例を示す図である。
【図７】図３の表示部２３に表示される撮影オーダ情報画面２３１の一例を示す図である。
【図８】図４の表示部３５に表示される撮影画像表示画面３５２の一例を示す図である。
【図９】図３のＣＰＵ２１により実行される読取制御処理を示すフローチャートである。
【図１０】（ａ）は、従来の診断システムにおいて受付窓口で登録されるリストの一例を示す図、（ｂ）は、従来の診断システムにおいて（ａ）に示すリストに放射線科の技師がカセッテ登録した一例を示す図である。
【符号の説明】
【００２５】
１  小規模診断システム
２  ＣＲ装置
２０１  撮影装置
２０２  読取装置
２１  ＣＰＵ
２２  操作部
２３  表示部
２３１  撮影オーダ情報画面
２４  通信部（送受信手段）
２５  ＲＡＭ
２５１  割り込みフラグ領域
２６  記憶部（保存手段）
２６１  撮影オーダ情報記憶部
２７  画像生成部（読取手段）
２８  ＨＤＤ（保存手段）
２９  バス
３  制御装置（医療用端末）
３１  ＣＰＵ
３２  ＲＡＭ
３３  記憶部
３３１  一時記憶部
３３２  未登録データ記憶部
３３３  撮影オーダ情報記憶部
３４  入力部
３５  表示部
３５１  撮影オーダ情報入力画面
３５２  撮影画像表示画面
３６  通信部
３７  バス
４  サーバ
４０  画像ＤＢ
５  受付装置
６  ネットワーク
【発明を実施するための最良の形態】
【００２６】
以下、図１から図９を参照しながら本発明に係る小規模診断システムの一実施形態について説明する。ただし、本発明は図示例のものに限定されるものではない。【００２７】
図１は、本実施形態における小規模診断システム１のシステム構成を示すものであり、図２は、小規模診断システム１を適用した場合の各装置の医療施設における配置例を示すものである。【００２８】
小規模診断システム１は、開業医やクリニック等の小規模施設に適用されるシステムであり、図１に示すように、ＣＲ装置２と、制御装置３と、サーバ４と、受付装置５とから構成されており、各装置は、例えば図示しないスイッチングハブ等を介してＬＡＮ（Ｌｏｃａｌ  Ａｒｅａ  Ｎｅｔｗｏｒｋ）等の通信ネットワーク（以下単に「ネットワーク」という）６に接続されている。【００２９】
病院内の通信方式としては、一般的に、ＤＩＣＯＭ（Ｄｉｇｉｔａｌ  Ｉｍａｇｅ  ａｎｄ  Ｃｏｍｍｕｎｉｃａｔｉｏｎｓ  ｉｎ  Ｍｅｄｉｃｉｎｅ）規格が用いられており、ＬＡＮ接続された各装置間の通信では、ＤＩＣＯＭ  ＭＷＭ（Ｍｏｄａｌｉｔｙ  Ｗｏｒｋｌｉｓｔ  Ｍａｎａｇｅｍｅｎｔ）やＤＩＣＯＭ  ＭＰＰＳ（Ｍｏｄａｌｉｔｙ  Ｐｅｒｆｏｒｍｅｄ  Ｐｒｏｃｅｄｕｒｅ  Ｓｔｅｐ）が用いられる。なお、本実施形態に適用可能な通信方式はこれに限定されない。【００３０】
例えば、開業医やクリニック等のような小規模施設においては、各装置は図２に示すように配置される。【００３１】
すなわち、入口１０を入ると患者の受付けを行う受付１１と待合室１２がある。受付１１には窓口担当が配置され、当該担当は、来院した患者に対して、受付順に個々の患者を区別するための受付番号（本日の受付順の通し番号）が印刷された受付番号札を付与する。また、受付１１には、受付装置５が設けられており、窓口担当は、患者の氏名を聞き取り、受付装置５に受付番号と患者氏名との対応付けを入力する。【００３２】
待合室１２の隣には、ドア等を隔てて医師が患者の診察、診断等を行う診察室１３が設けられている。例えば診察室１３内の診察用のデスク（図示せず）の上には、医師が患者の撮影画像を表示して画像診断を行うための制御装置３と、撮影画像の画像データを保存する画像ＤＢ（Ｄａｔａ  Ｂａｓｅ）４０を備えたサーバ４が配置されている。【００３３】
また、廊下１４を隔てて診察室１３の向かい側にはＸ線撮影を行うＸ線撮影室１５が設けられている。Ｘ線撮影室１５内には、撮影装置２０１と読取装置２０２とから構成されるＣＲ装置２が配設されている。【００３４】
以下、小規模診断システム１について詳述する。【００３５】
まず、各装置の構成について説明する。【００３６】
ＣＲ装置２は、輝尽性蛍光体を用いて被写体を放射線撮影し、被写体を透過した放射線エネルギーを輝尽性蛍光体に蓄積させ、輝尽性蛍光体に蓄積された画像を読み取ることにより撮影画像の画像データの生成を行う装置である。ＣＲ装置２は、読取装置（放射線画像読取装置）が放射線源を有するとともに輝尽性蛍光体を内蔵しており、撮影から読取までを１台で行うタイプと、輝尽性蛍光体プレートを収容した持ち運び可能な記録媒体（以下、カセッテと称する）を用いるタイプとがある。本実施の形態においては、カセッテタイプのＣＲ装置を例にとり説明するが、これに限定されるものではない。【００３７】
ＣＲ装置２は、放射線源を有する撮影装置２０１と、撮影装置２０１において放射線撮影に供されたカセッテに収容された輝尽性蛍光体プレートから画像を読み取って撮影画像データを生成する読取装置２０２により構成されている（図２参照）。【００３８】
図３は、読取装置２０２の機能的構成を示すブロック図である。図３に示すように、読取装置２０２は、ＣＰＵ２１、操作部２２、表示部２３、通信部２４、ＲＡＭ２５、記憶部２６、画像生成部２７、ＨＤＤ２８等を備え、各部はバス２９により接続されている。【００３９】
ＣＰＵ２１は、記憶部２６に記憶されている制御プログラムを読み出し、ＲＡＭ２５内に形成されたワークエリアに展開し、該制御プログラムに従って読取装置２０２の各部を制御する。また、ＣＰＵ２１は、制御プログラムに従って、記憶部２６に記憶されている各種処理プログラムを読み出してワークエリアに展開し、読み出したプログラムとの協働により、図５に示す読取装置２０２側処理、図９に示す読取制御処理を始めとする各種処理を実行し、制御手段としての機能を実現する。【００４０】
操作部２２は、割り込みボタン、送信ボタン、ＯＫボタン、ＮＧボタン等の各種操作ボタンを有しており、これらの操作ボタンの押下信号を、入力信号としてＣＰＵ２１に出力する。【００４１】
割り込みボタンは、緊急時や再撮影時に、動作モードを通常モードから割り込みモードへ切り替えるためのボタンである。通常モードは、画像生成部２７で生成された画像データに、制御装置３からの撮影オーダ情報（撮影の予約情報。撮影すべき患者の患者情報及び撮影部位情報を含む）を受信順序に従って対応付けて制御装置３に送信するモードである。割り込みモードは、画像生成部２７で生成された画像データを撮影オーダ情報と対応付けずにＨＤＤ２８に保存するモードである。切替手段として機能する割り込みボタンの押下信号は、動作モードを割り込みモードへ切り替える切替信号としてＣＰＵ２１に出力される。ＣＰＵ２１は、切替信号を受信するとＲＡＭ２５の割り込みフラグ領域２５１に割り込みフラグＯＮを設定し、動作モードを通常モードから割り込みモードへ切り替える。【００４２】
送信ボタンは、ＨＤＤ２８に保存されている画像データの制御装置３への送信を指示するためのボタンである。【００４３】
表示部２３は、ＬＣＤ（Ｌｉｑｕｉｄ  Ｃｒｙｓｔａｌ  Ｄｉｓｐｌａｙ）等からなる表示画面により構成され、ＣＰＵ２１から入力される表示信号の指示に従って、表示画面上に、撮影オーダ情報等を表示する。【００４４】
通信部２４は、ネットワークインターフェース等により構成され、ネットワーク６に接続された外部機器とデータの送受信を行う。当該通信部２４が、撮影オーダ情報その他データの送受信をする送送受信手段として機能する。【００４５】
ＲＡＭ２５は、ＣＰＵ２１により実行制御される各種処理において、記憶部２６から読み出されたＣＰＵ２１で実行可能な各種プログラム、入力若しくは出力データ、及びパラメータ等の一時的に記憶するワークエリアを形成する。また、ＲＡＭ２５は、割り込みフラグ領域２５１を有しており、ＣＰＵ２１により設定された割り込みフラグを格納する。【００４６】
記憶部２６は、不揮発性の半導体メモリ等により構成され、ＣＰＵ２１で実行される制御プログラム、各種プログラム、各種データ等を記憶する。【００４７】
また、記憶部２６は、撮影オーダ情報を制御装置３からの受信順序（順番）を示す番号と対応付けて格納する撮影オーダ情報記憶部２６１を有する。【００４８】
画像生成部２７は、放射線撮影に供されたカセッテを装着可能に構成され、装着されたカセッテから輝尽性蛍光体プレートを取り出して励起光で走査して、輝尽性蛍光体プレートに蓄積・保存された放射線画像情報を輝尽発光させ、この輝尽発光光を光電的に読み取って得られた画像信号に基づき画像データを生成する読取手段である。なお、画像生成部２７のカセッテ装着部分には、カセッテの装着の有無を検知する装着検知センサが設けられている。【００４９】
ＨＤＤ（Ｈａｒｄ  Ｄｉｓｋ  Ｄｒｉｖｅ）２８は、ＣＰＵ２１の指示に従って画像データを格納する。当該ＨＤＤ２８及び前述の記憶部２６が保存手段として機能する。なお、記憶部２６に画像データを格納してもよく、当該ＨＤＤ２８に撮影オーダ情報を受信順序と対応付けて格納するようにしてもよい。  【００５０】
制御装置３は、例えば診察室１３に設置され、医師が撮影オーダ情報を入力し読取装置２０２に送信したり、撮影された画像を表示させて読影診断を行ったり、ＣＲ装置２から送信された、撮影オーダ情報が対応付けられていない画像データと患者情報との対応付けを行ったりするための医療用端末である。【００５１】
図４は、制御装置３の機能的構成を示すブロック図である。図４に示すように制御装置３は、ＣＰＵ３１、ＲＡＭ３２、記憶部３３、入力部３４、表示部３５、通信部３６等を備えて構成されており、各部はバス３７により接続されている。【００５２】
ＣＰＵ３１は、記憶部３３に記憶されているシステムプログラムや処理プログラム等の各種プログラムを読み出してＲＡＭ３２に展開し、展開されたプログラムに従って、図５に示す制御装置３側処理を始めとする各種処理を実行する。【００５３】
ＲＡＭ３２は、ＣＰＵ３１により実行制御される各種処理において、記憶部３３から読み出されたＣＰＵ３１で実行可能な各種プログラム、入力若しくは出力データ、及びパラメータ等の一時的に記憶するワークエリアを形成する。【００５４】
記憶部３３は、ＨＤＤや半導体の不揮発性メモリ等により構成される。記憶部３３には、ＣＰＵ３１で実行されるシステムプログラムや、各種プログラムが記憶されているほか、特開Ｈ１１−８５９５０や特開２００１−７６１４１の明細書中に開示されているような撮影部位を識別するための部位識別パラメータ（撮影画像に現われた撮影対象の輪郭、形状等と撮影部位とを対応付けるルックアップテーブル等）及び識別された撮影部位に応じた画像処理を行う画像処理パラメータ（階調処理に用いる階調曲線を定義したルックアップテーブル、周波数処理の強調度等）等が記憶されている。【００５５】
また、記憶部３３は、ＣＲ装置２から送信された画像データのうち、撮影オーダ情報が対応付けられている画像データを一時的に保存する一時記憶部３３１、撮影オーダ情報なしで読み取られたことを示す情報が対応付けられている画像データを一時的に保存する未登録データ記憶部３３２を有している。【００５６】
また、記憶部３３は、入力部３４により入力された撮影オーダ情報を入力された順序を示す番号と対応付けて格納する撮影オーダ情報記憶部３３３を有している。【００５７】
入力部３４は、カーソルキー、数字入力キー、及び各種機能キー等を備えたキーボードと、マウス等のポインティングデバイスを備えて構成され、キーボードで押下操作されたキーの押下信号とマウスによる操作信号とを、入力信号としてＣＰＵ３１に出力する。【００５８】
表示部３５は、例えば、ＣＲＴ（Ｃａｔｈｏｄｅ  Ｒａｙ  Ｔｕｂｅ）やＬＣＤ等のモニタを備えて構成されており、ＣＰＵ３１から入力される表示信号の指示に従って、各種画面を表示する。【００５９】
通信部３６は、ネットワークインターフェース等により構成され、スイッチングハブを介してネットワーク６に接続された外部機器との間でデータの送受信を行う。【００６０】
図１に示すサーバ４は、ＣＰＵ、ＲＡＭ、ＨＤＤ等により構成される記憶部、ネットワーク６に接続された各装置との通信を制御する通信部（いずれも図示せず）等を備えて構成されたコンピュータである。サーバ４は、画像ＤＢ４０を備えておりＣＰＵと記憶部に記憶されたプログラムとの協働によるソフトウエア処理により、通信部を介して制御装置３から書込み指示された撮影画像の画像データ及びこれに対応付けられた撮影オーダ情報（又は患者情報）を画像ＤＢ４０に格納するとともに、制御装置３からの要求に応じて画像ＤＢ４０を検索して要求に応じた画像データ及びその患者情報を読み出し、制御装置３に送信する。【００６１】
受付装置５は、ＣＰＵ、ＲＡＭ、ＨＤＤ等により構成される記憶部、キーボードやマウス等により構成される入力部、ＣＲＴやＬＣＤ等により構成される表示部、ネットワーク６に接続された各装置との通信を制御する通信部（いずれも図示せず）等を備えて構成されたコンピュータである。受付装置５は、入力部より受付入力画面の表示が指示されると、ＣＰＵと記憶部に記憶されたプログラムとの協働によるソフトウエア処理により、表示部に図示しない受付入力画面を表示し、受付入力画面を介して入力部により受付情報（受付番号＋患者情報）が入力されると、受付された患者の患者リストを作成（更新）し、作成（更新）された患者リストを通信部により制御装置３へ送信する。【００６２】
次に、小規模診断システム１の動作について説明する。【００６３】
小規模診断システム１においては、図５に示すように、患者に撮影を行う場合、制御装置３において撮影オーダ情報を発行し、撮影オーダ情報に従ってＣＲ装置２で撮影を行い、得られた画像データを撮影オーダ情報と対応付けて制御装置３に送信し、画像ＤＢ等に保存するのが、通常の処理の流れとなる。以下、図５を参照して、小規模診断システム１において、一の患者に対し実行される通常の処理の流れについて説明する。【００６４】
まず受付１１において、来院した患者に対し受付番号札が付与され、受付装置５において、入力部の操作により受付された患者の受付番号及び患者氏名等の患者情報の入力（受付入力）が行われると（ステップＳ１）、患者のリスト（患者リスト）が生成（更新）される（ステップＳ２）。患者リスト情報は、例えば、本日の最初の患者が受付入力されると生成され、ＲＡＭの所定領域に記憶され、次の患者が受付入力される毎に新しい患者リストに更新される。生成又は更新された患者リストのデータは、通信部により制御装置３に送信される（ステップＳ３）。【００６５】
受付番号が付与された患者は、待合室１２で待機したのち、診察室１３に移動する。診察室１３においては、医師により患者の問診が行われ、当該患者に対して撮影が必要であるか否か、また、撮影が必要な場合には行うべき撮影（撮影部位、撮影方向、撮影枚数等）が決定される。行うべき撮影が決定されると、医師は、制御装置３において、入力部３４を操作して、撮影オーダ情報の入力を行う。患者は、医師や撮影技師等の撮影を行う撮影実施者の指示のもと、ＣＲ装置２の前に移動する。【００６６】
図６に、撮影オーダ情報入力画面３５１の一例を示す。図６に示すように、撮影オーダ情報入力画面３５１には、受付装置５から送信された患者リスト３５１ａ、人体部位アイコン３５１ｂ及び撮影方向ボタン３５１ｃが表示される。当該画面の患者リスト３５１ａから、入力部３４の操作により撮影対象の患者名が選択され、人体部位アイコン３５１ｂから撮影対象の部位に対応する部位アイコンが選択され、撮影方向ボタン３５１ｃから撮影方向が選択されると、選択された患者の選択された部位及び撮影方向の撮影のオーダを示す撮影オーダ情報が生成される。【００６７】
入力部３４のマウス等が操作されることにより撮影オーダ情報入力画面３５１に表示された患者リストから撮影対象の患者が選択され、次いで、人体部位アイコン３５１ｂから撮影部位が選択され、更に撮影方向ボタンから撮影方向が選択されることにより、撮影オーダの入力が行われると（ステップＳ４）、選択された患者の選択された部位及び撮影方向の撮影のオーダを示す撮影オーダ情報が生成され（ステップＳ５）、撮影オーダ情報記憶部３３３に格納されるとともに、通信部３６を介して読取装置２０２に送信される（ステップＳ６）。一の患者に対して複数の撮影条件で複数枚の撮影を行う場合、ステップＳ４〜Ｓ６が繰り返し実行され、複数の撮影オーダ情報が生成される。撮影オーダ情報記憶部３３３においては、入力された順番に対応付けられて撮影オーダ情報が格納される。【００６８】
読取装置２０２においては、通信部２４により制御装置３からの撮影オーダ情報が受信されると、受信された撮影オーダ情報が、受信順序を示す番号に対応付けて撮影オーダ情報記憶部２６１に格納され（ステップＳ７）、受信された撮影オーダ情報を表示する撮影オーダ情報画面２３１が表示部２３に表示される（ステップＳ８）。【００６９】
図７に、撮影オーダ情報を表示した撮影オーダ情報画面２３１の一例を示す。当該画面２３１には、撮影オーダ情報記憶部２６１において先頭の順番に対応付けられている撮影オーダ情報が表示される。撮影オーダ情報には、患者情報、撮影部位等が含まれているので、撮影実施者は、次に行うべき撮影の対象患者及び撮影部位を当該画面により把握することができる。【００７０】
撮影実施者は、表示部２３に表示されている撮影オーダ情報に従って、撮影装置２０１において患者の撮影を行い、撮影済みのカセッテを読取装置２０２に装着し、カセッテに記録された放射線画像情報の読み取りを行う。【００７１】
読取装置２０２においては、撮影済みのカセッテが装着されると（ステップＳ９）、画像生成部２７により、装着されたカセッテに記録された放射線画像情報の読み取りが行われて画像データが生成され（ステップＳ１０）、読み取られた画像に基づき縮小画像（間引き画像）が生成され表示部２３に表示される（ステップＳ１１）。撮影実施者により画像の確認が行われ、ポジショニングが不適切である等により操作部２２のＮＧボタンが押下されると（ステップＳ１２；ＮＯ）、処理はステップＳ８に戻り、再撮影が行われ、ステップＳ８〜Ｓ１１の処理が実行される。操作部２２のＯＫボタンが押下されると（ステップＳ１２；ＹＥＳ）、読み取られた画像データに、ステップＳ８で表示された撮影オーダ情報が対応付けられ（例えば、画像データのヘッダ部に書き込まれる）（ステップＳ１３）、通信部２４を介して制御装置３に送信される（ステップＳ１４）。【００７２】
制御装置３においては、通信部３６を介して画像データが受信されると、受信された画像が一時記憶部３３１に記憶される（ステップＳ１５）。【００７３】
読取装置２０２においては、生成された画像データの送信が終了すると、撮影オーダ情報記憶部２６１に先頭の順番で格納されている撮影オーダ情報が削除される（ステップＳ１６）。次いで、撮影オーダ情報記憶部２６１に格納されている情報があるか否かが判断され、格納されていると判断されると（ステップＳ１７；ＹＥＳ）、処理はステップＳ８に戻り、次の撮影オーダ情報に従って、撮影が行われる。格納されている情報がない場合、処理は終了する。【００７４】
撮影が終了すると、患者は診察室１３に移動する。医師は、制御装置３の入力部３４の操作により、表示部３５に図示しない画像検索画面を表示させ、対象患者の患者情報の入力を行う。制御装置３においては、入力部３４の操作に応じて画像検索画面を表示させ、入力部３４を介して患者情報の入力を受け付ける。画像検索画面が表示され、この画面から入力部３４を介して患者情報が入力されると（ステップＳ１８）、入力された患者の患者情報を含む撮影オーダ情報が対応付けられた画像データが一時記憶部３３１から抽出され、抽出された画像データに階調処理や周波数強調処理等の画像処理が施され、画像処理済みの画像データを縮小したサムネイル画像が作成され、表示部３５の撮影画像表示画面３５２に表示される（ステップＳ１９）。【００７５】
図８に、表示部３５に表示される撮影画像表示画面３５２の表示画面例を示す。図８に示すように、撮影画像表示画面３５２は、抽出された画像を一覧表示するための画像表示欄３５２ａ〜３５２ｄを有している。画像表示欄３５２ａ〜３５２ｄの何れかが入力部３４のマウス等により選択されると、選択された画像がライフサイズで単独表示される。医師はこの単独表示画像により、画像の詳細を観察し読影診断を行うことができる。また、当該画面の右上には、画像処理調整欄３５２ｅが設けられており、医師は、この画像処理調整欄３５２ｅをマウス等により操作することにより、濃度やコントラストの調整を行うことができる。各画像に対応して表示されているＯＫボタン３５２ｈを押下すると、表示されている画像を画像ＤＢ４０に保存する画像として確定することができる。また、撮影画像表示画面３５２には、表示された撮影画像に対応付けられた撮影オーダ情報に含まれる患者情報を表示する患者情報表示欄３５２ｆが設けられている。【００７６】
入力部３４を介して、撮影画像表示画面３５２から画像処理調整や画像の確定が行われた後（ステップＳ２０）、入力部３４により撮影画像表示画面３５２の診断終了ボタンが押下されることにより、診断の終了が指示されると（ステップＳ２１；ＹＥＳ）、表示された画像に対応する画像データ及び撮影オーダ情報が通信部３６を介してサーバ４に送信され、画像ＤＢ４０への保存が行われる（ステップＳ２２）。サーバ４の画像ＤＢ４０に書き込まれた画像データは、一時記憶部３３１から消去される（ステップＳ２３）。【００７７】
以上のように、小規模診断システム１においては、制御装置３において、医師が撮影オーダ情報の入力を行うと、撮影オーダ情報が読取装置２０２に送信され、表示部２３に表示される。撮影実施者は、表示部２３に表示された撮影オーダ情報に従って撮影を行い撮影済みのカセッテを読取装置２０２に装着する。読取装置２０２においては、装着されたカセッテから画像が読み取られて画像データが生成され、生成された画像データが表示部２３に表示されている撮影オーダ情報と対応付けられ、制御装置３に送信される。制御装置３においては、受信された画像データが表示されて画像診断が行われ、サーバ４に保存される。【００７８】
なお、撮影が混み合ってきた場合などには、前の患者について読取装置２０２で撮影を行っている最中に、制御装置３から撮影オーダ情報が送信されてくることがある。このような場合、受信された撮影オーダ情報は、撮影オーダ情報記憶部２６１に、受信順序を示す番号と対応付けて格納されていく。表示部２３には、撮影オーダ情報記憶部２６１に格納された撮影オーダ情報のうち、先頭の順番で格納されている撮影オーダ情報が表示され、表示された撮影オーダ情報に従って撮影が行われて撮影済みのカセッテが読取装置２０２に装着されると、カセッテの読み取りが行われて画像データの生成が行われ、生成された画像データが先頭の順番で格納されている撮影オーダ情報と対応付けられて制御装置３に送信される。画像データが制御装置３に送信されると、表示部２３に表示されていた先頭の撮影オーダ情報は撮影オーダ情報記憶部２６１から削除され、次の撮影オーダ情報が表示部２３に表示される。このようにして、順次撮影及び読み取りが行われる。制御装置３においては、読取装置２０２により送信された画像データが表示され、医師の診断に供される。【００７９】
上記の通常の処理フローにおいては、撮影及び読み取りを行うに当たり、受付装置５における受付入力や、制御装置３における医師による撮影オーダ情報の発行が必要となる。しかしながら、通常の処理のフローにおいては、緊急の患者の場合であっても、また、医師の問診を受けなくとも前回と同じ撮影をすれば良いような再撮影患者の場合であっても、医師による撮影オーダ情報の発行を待たなければ撮影を行うことができない。特に、医師が他の患者の診察中である場合には、看護師は個人情報保護の観点から入室できなかったり、撮影オーダの発行が依頼しづらかったりするため、患者を待たせることになり、好ましくない。【００８０】
そこで、本実施の形態においては、読取装置２０２において、図９に示す読取制御処理により、装着されたカセッテの読み取りを制御することにより、撮影オーダ情報がない場合であっても、又は、割り込みで、撮影及び読み取りを行うことを可能とする。なお、割り込みボタンが押下されると、ＲＡＭ２５の割り込みフラグ領域２５１にＯＮが設定され、読取装置２０２における次に装着されたカセッテの読み取りは、割り込みモードで行われる。【００８１】
以下、読取装置２０２のＣＰＵ２１において実行される読取制御処理について説明する。当該処理は、ＣＰＵ２１と記憶部２６との協働によるソフトウエア処理により実現される処理である。【００８２】
画像生成部２７にカセッテが装着されると（ステップＳ１０１；ＹＥＳ）、撮影オーダ情報記憶部２６１が参照され、制御装置３から撮影オーダ情報が受信されているか否かが判断される。撮影オーダ情報記憶部２６１に受信した撮影オーダ情報が存在しており（格納されており）、制御装置３から撮影オーダ情報が受信されていると判断されると（ステップＳ１０２；ＹＥＳ）、割り込みフラグ領域２５１が参照され、割り込みモードが設定されているか否かが判断される。割り込みモードが設定されていないと判断されると（ステップＳ１０３；ＮＯ）、装着されたカセッテに記録された放射線画像情報の読み取りが行われて画像データが生成され（ステップＳ１０４）、生成された画像が間引きされ表示部２３に表示される（ステップＳ１０５）。表示部２３に表示された画像が撮影実施者により確認され、ポジショニングが不適切である等によりＮＧボタンが押下されると（ステップＳ１０６；ＮＯ）、本処理は終了する。一方、ＯＫボタンが押下されると（ステップＳ１０６；ＹＥＳ）、生成された画像データのヘッダ部に、撮影オーダ情報記憶部２６１に先頭の順番で格納されている撮影オーダ情報（即ち、受信順が１番早く、表示部２３に表示されている撮影オーダ情報）が書き込まれることにより画像データと撮影オーダ情報とが対応付けられ（ステップＳ１０７）、撮影オーダ情報が対応付けられた画像データが通信部２４により制御装置３へ送信される（ステップＳ１０８）。そして、撮影オーダ情報記憶部２６１に先頭の順番で格納されている画像データが削除され（ステップＳ１０９）、本処理は終了する。【００８３】
一方、ステップＳ１０２において、受信した撮影オーダ情報が撮影オーダ情報記憶部２６１に格納されていない場合、つまり制御装置３から撮影オーダ情報が受信されていないと判断された場合（ステップＳ１０２；ＮＯ）、又は、割り込みモードが設定されていると判断された場合（ステップＳ１０３；ＹＥＳ）、はステップＳ１１０以下のフローを実行する。つまり装着されたカセッテに記録された放射線画像情報の読み取りが行われて画像データが生成され（ステップＳ１１０）、生成された画像が間引きされ表示部２３に表示される（ステップＳ１１１）。表示部２３に表示された画像が撮影実施者により確認され、ＮＧボタンが押下されると（ステップＳ１１２；ＮＯ）、本処理は終了する。
一方、ＯＫボタンが押下されると（ステップＳ１１２；ＹＥＳ）、生成された画像データのヘッダ部に、撮影オーダ情報なしで読み取られたことを示す情報（例えば、９９９９等の特定コード等）が書き込まれることにより画像データに撮影オーダ情報なしで読み取りされたことを示す情報が対応付けられ（ステップＳ１１３）、ＨＤＤ２８に保存される（ステップＳ１１４）。操作部２２の送信ボタンが押下され、画像データの送信が指示されると（ステップＳ１１５；ＹＥＳ）、処理はステップＳ１１７に移行する。一方、送信ボタンが押下されていない場合（ステップＳ１１５；ＮＯ）、保存されてから予め設定された基準時間が経過したか否かが判断され、予め設定された基準時間が経過したと判断されると（ステップＳ１１６；ＹＥＳ）、処理はステップＳ１１７に移行する。ステップＳ１１６においては、ＨＤＤ２８に記憶された画像データが通信部２４により制御装置３へ送信され（ステップＳ１１７）、割り込みフラグ領域２５１が初期化され（ステップＳ１１８）、本処理は終了する。【００８４】
制御装置３においては、読取装置２０２から、撮影オーダ情報なしで読み取りされたことを示す情報が対応付けられた画像データが受信されると、未登録データ記憶部３３２に画像データが一時保存される。ここで、画像データには撮影オーダ情報が対応付けられていない、即ち、患者情報が対応付けられていないため、受信後直ちに画像データと患者情報との対応付けを行うことが望ましい。画像データと患者情報の対応付けは、医師による操作に応じて行われるため、医師が他の患者の診察を行っておらず、すぐに対応付けの操作ができる状態であるときに送信する必要がある。そこで、撮影実施者は、医師に画像データの送信タイミングを問い合わせて操作部２２の送信ボタンを押下して、画像データの送信を行う。また、小規模な医療施設の場合、一人の患者に対する診察時間には限りがあり、一定時間（基準時間）以上にはならないため、この基準時間を予め読取装置２０２に設定しておき、ＨＤＤ２８に保存されてから基準時間以上経過した場合に、自動的に制御装置３に画像データの送信を行うようにしてもよい。【００８５】
制御装置３において、撮影オーダ情報なしで撮影された画像データの診断及び患者情報の対応付けは、例えば、以下のようにして行われる。【００８６】
入力部３４により未登録データ記憶部３３２に格納されている画像データの表示が指示されると、撮影画像表示画面３５３（図示せず）が表示される。撮影画像表示画面３５３は、図８に示す撮影画像表示画面３５２とほぼ同様の画面であるが、画像表示欄３５２ａ〜３５２ｄに対応する欄には、未登録データ記憶部３３２に格納されている画像データの撮影画像が表示され、患者氏名欄３５２ｆに対応する欄は、表示された撮影画像に対応する患者氏名を入力するための入力欄（患者情報入力欄）となっている。当該画面において、患者情報を入力し、画像調整を行って画像の確定を行い、画像診断を行った後、診断終了ボタンが押下されると、当該画面上に表示されていた撮影画像の画像データのヘッダ領域に、患者情報が付帯され、患者情報が付帯された画像データがサーバ４に送信され、画像ＤＢ４０に保存される。サーバ４に送信された画像データは、未登録データ記憶部３３２から消去される。【００８７】
以上説明したように、小規模診断システム１の読取装置２０２によれば、画像生成部２７にカセッテが装着されると、制御装置３から撮影オーダ情報が受信されているか否かが判断され、受信されていると判断されると、割り込みフラグ領域２５１が参照されることにより、割り込みモードが設定されているか（切替信号が出力されているか）否かが判断される。割り込みモードが設定されていないと判断されると、装着されたカセッテに記録された放射線画像情報の読み取りが行われて画像データが生成され、生成された画像データのヘッダ部に、撮影オーダ情報記憶部２６１に先頭の順番で格納されている撮影オーダ情報が書き込まれることにより対応付けられ、撮影オーダ情報が対応付けられた画像データが通信部２４により制御装置３へ送信される。一方、撮影オーダ情報記憶部２６１に受信済みの撮影オーダ情報が格納されていないと判断された場合、又は割り込みモードが設定されていると判断された場合、装着されたカセッテに記録された放射線画像情報の読み取りが行われて画像データが生成され、生成された画像データのヘッダ部に、撮影オーダ情報なしで読み取りされたことを示す情報が書き込まれることにより対応付けられ、ＨＤＤ２８に保存される。ＨＤＤ２８に保存された画像データは、送信ボタンの押下に応じて、または保存から一定時間経過後に、制御装置３に送信される。【００８８】
従って、診察室に設けられた制御装置３で撮影オーダ情報を入力して放射線画像読取装置に送信し、放射線画像読取装置において、読み取った画像データを撮影オーダ情報の受信順に対応付けて医療用装置に送信する小規模診断システム１において、制御装置３からの撮影オーダ情報が受信されていないときには、放射線撮影されたカセッテから読み取った画像データをＨＤＤ２８に保存しておくことができるので、緊急時等に制御装置３からの撮影オーダ情報の入力を待たずに迅速に撮影及び読み取りを開始することが可能となる。【００８９】
また、制御装置３から撮影オーダ情報が受信されている場合であっても、割り込みボタンの押下により、放射線撮影されたカセッテから読み取った画像データを、受信されている撮影オーダ情報と対応付けて制御装置３に送信する動作から、撮影オーダ情報と対応付けずにＨＤＤ２８に保存する動作に切り替えることができるので、緊急時等に制御装置３からの撮影オーダ情報の入力や順番を待たずに迅速に撮影及び読み取りを開始することが可能となる。【００９０】
ＨＤＤ２８に画像データを保存する際には、撮影オーダ情報無しで読み取られた画像データであることを示す情報を対応付けて保存するので、撮影オーダ情報無しで読み取られた画像データであることを識別することが可能となる。【００９１】
なお、上記実施の形態における記述内容は、本発明に係る小規模診断システム１の好適な一例であり、これに限定されるものではない。【００９２】
例えば、上記実施の形態においては、保存手段にＨＤＤを適用した場合を例にとり説明したが、これに限定されず、画像データを読み書き可能な記憶装置であればよい。【００９３】
その他、小規模診断システム１を構成する各装置の細部構成及び細部動作に関しても、本発明の趣旨を逸脱することのない範囲で適宜変更可能である。
【図２】
2007141985.tif 000003
【図１】
2007141985.tif 000004
【図３】
2007141985.tif 000005
【図４】
2007141985.tif 000006
【図５】
2007141985.tif 000007
【図６】
2007141985.tif 000008
【図７】
2007141985.tif 000009
【図８】
2007141985.tif 000010
【図９】
2007141985.tif 000011
【図１０】
2007141985.tif 000012
【国際調査報告】
2007141985.tif 000013
2007141985.tif 000014
2007141985.tif 000015